(57)【特許請求の範囲】
【請求項１】
交流回路に挿入される接点と、交流回路への通電時に一次側に交流電流が流れるように接続された電流トランスと、電流トランスの二次側に接続され交流回路への通電時に点灯する表示灯を接点切り換え用ハンドル内に位置させた表示灯付スイッチにおいて、電流トランスをトランス収納ケースに収納すると共に電流トランスをトランス収納ケースと一緒にハウジングのボディ内に収納し、表示灯を有する表示ブロックをハウジングのボディとカバーとの間に配置し、表示ブロックの端部に取り付け足を有し、表示ブロックをボディの上に載置したとき取り付け足をボディの位置決め凹部に嵌合すると共にカバーを被嵌するときカバーの位置決め凹部を取り付け足に嵌合し、ボディとカバーとで取り付け足を挟持して表示ブロックを取り付け、電流トランスの二次側のリード端子をトランス収納ケースから突設すると共にリード端子を表示ブロックの端子に接続し、表示ブロックの表示灯を接点切り換え用ハンドル内に位置させて成ることを特徴とする表示灯付スイッチ。
【請求項２】
ハウジングのボディ内に端子板や接続板や電流トランス等を収納し、電流トランスの一次側のリード端子をトランス収納ケースから突設すると共にこのリード端子と端子板や接続板とをレーザによる半田付けにて接続し、電流トランスの二次側のリード端子をトランス収納ケースから突設すると共にこのリード端子を表示ブロックの端子にレーザによる半田付けにて接続し、表示灯としてのＬＥＤチップを表示ブロックの基台に搭載すると共にＬＥＤチップを基台にレーザによる半田付けで接続して成ることを特徴とする請求項１記載の表示灯付スイッチ。
【請求項３】
表示灯としてのＬＥＤチップと接続する回路に保護抵抗として抵抗チップを挿入して成ることを特徴とする請求項１または請求項２記載の表示灯付スイッチ。
【請求項４】
トランス収納ケースをケース本体と蓋体とで構成し、ケース本体と蓋体とをヒンジにて連結し、電流トランスの二次側のリード端子をトランス収納ケースから突設すると共に表示ブロックの端子と上記リード端子とを直接接続して成ることを特徴とする請求項１または請求項２または請求項３記載の表示灯付スイッチ。
【請求項５】
表示灯としてＬＥＤチップを用い、接点切り換え用ハンドルのＬＥＤチップと対応する位置に窓部を設けると共にこの窓部にランプカバーを嵌着にて取り付けて成ることを特徴とする請求項１または請求項２または請求項３または請求項４記載の表示灯付スイッチ。
【発明の詳細な説明】
【０００１】
【産業上の利用分野】
本発明は、交流回路に用いられ通電時に点灯する表示灯を備えた表示灯付スイッチに関するものである。
【０００２】
【従来の技術】
従来の表示灯付スイッチは図１３、図１４に示すように構成されていた。ハウジング１はボディ２とカバー３とで構成されており、ボディ２内に端子板４，５、接続板６、開閉体７、電流トランス８等を内装してある。端子板４，５を収納した部分には錠ばね１１や解除釦１２を設けてある。電流トランス８の一次側のジーゲル線９は端子板４や接続板６に半田付けにて接続してあり、電流トランス８の二次側のジーゲル線１０は長く連出してある。カバー３には接点切り換え用ハンドル１３を揺動自在に装着してあり、接点切り換え用ハンドル１３を揺動することによりコイルスプリング１４を介して開閉体７を揺動させて接続板６と端子板５との間の導通を開閉するようになっている。接点切り換え用ハンドル１３の下面側には取り付け板１５を装着してあり、ＬＥＤをカバーで密封した表示灯１６を取り付け板１５に取り付け、表示灯１６の端子に上記二次側のジーゲル線１０の端部を半田付けにて接続している。
【０００３】
【発明が解決しようとする課題】
ところが、上記従来例にあっては、電流トランス８はボディ２側に内装され、表示灯１６側が接点切り換え用ハンドル１３側に装着され、ジーゲル線１０にてこれらの間を接続することになっており、柔らかいジーゲル線１０を用いて接続する構造のため接続時に位置決めすることができないため自動組み立てが困難であるという問題があり、また接点切り換え用ハンドル１３の動作に応じてジーゲル線１０が動いて断線のおそれもあった。
【０００４】
本発明は上記問題点に鑑みてなされたものであって、本発明の目的とするところは接続部分を簡単に位置決めできて自動組み立てをすることができ、しかも断線するおそれがない表示灯付スイッチを提供するにある。
【０００５】
【課題を解決するための手段】
上記目的を達成するため本発明表示灯付スイッチは、交流回路に挿入される接点と、交流回路への通電時に一次側に交流電流が流れるように接続された電流トランス８と、電流トランス８の二次側に接続され交流回路への通電時に点灯する表示灯を接点切り換え用ハンドル１３内に位置させた表示灯付スイッチにおいて、電流トランス８をトランス収納ケース１７に収納すると共に電流トランス８をトランス収納ケース１７と一緒にハウジング１のボディ２内に収納し、表示灯を有する表示ブロック１８をハウジング１のボディ２とカバー３との間に配置し、表示ブロック１８の端部に取り付け足４８を有し、表示ブロック１８をボディ２の上に載置したとき取り付け足４８をボディ２の位置決め凹部４９に嵌合すると共にカバー３を被嵌するときカバー３の位置決め凹部５０を取り付け足４８に嵌合し、ボディ２とカバー３とで取り付け足４８を挟持して表示ブロック１８を取り付け、電流トランス８の二次側のリード端子１９をトランス収納ケース１７から突設すると共にリード端子１９を表示ブロック１８の端子２０に接続し、表示ブロック１８の表示灯を接点切り換え用ハンドル１３内に位置させて成ることを特徴とする。
【０００６】
【作用】
上記構成によれば、表示ブロック１８をハウジング１のボディ２とカバー３との間に配置し、表示ブロック１８の端部に取り付け足４８を有し、表示ブロック１８をボディ２の上に載置したとき取り付け足４８をボディ２の位置決め凹部４９に嵌合すると共にカバー３を被嵌するときカバー３の位置決め凹部５０を取り付け足４８に嵌合し、ボディ２とカバー３とで取り付け足４８を挟持して表示ブロック１８を取り付ける構造とし、電流トランス８を収納したトランス収納ケース１７から突設したリード端子１９を表示ブロック１８の端子２０に接続する構造としたことにより、リード端子１９と端子２０との接続部を簡単に位置決めして接続できて自動組み立てができる。また表示ブロック１８は接点切り換えハンドル１３と関係なしにボディ２とカバー３との間に取り付け足４８を挟持して固定され、接点切り換え用ハンドル１３の動きに影響されることがなく、断線のおそれがない。
【０００７】
【実施例】
まず図３乃至図５で表示灯付スイッチの全体の構造について説明する。
【０００８】
ハウジング１はボディ２とカバー３とで構成され、ボディ２内にはトランス収納凹部２１、端子板収納凹部２２，２３、接点部収納凹部２４が設けられている。端子板収納凹部２２には端子板４が収納され、端子板収納凹部２３には端子板５が収納され、接点部収納凹部２４には接続板６が収納されている。端子板４，５内には錠ばね１１を内装してあり、端子板４，５と錠ばね１１にて速結端子を構成してあり、電線挿入孔２５から挿入した電線を速結できるようになっている。端子板４，５内には解除釦１２を内装してあり、解除孔２６からドライバー等を挿入することより解除釦１２を操作して錠ばね１１の結合を解除でき、電線を抜くことができるようになっている。接続板６の下部には支点突起２７を突設してあり、支点突起２７に開閉体７を揺動自在に載置してある。この開閉体７の上部には可動接点２８を設けてあり、開閉体７の回動にて端子板５の固定接点２９に対して可動接点２８が接点交換するようになっている。
【０００９】
電流トランス８は一次巻線に交流電流が流れると二次巻線に出力電流を発生するようになっている。電流トランス８はケース本体１７ａと蓋体１７ｂよりなるトランス収納ケース１７内に収納してある。そして電流トランス８の一次側のリード端子３０と電流トランス８の二次側のリード端子１９をトランス収納ケース１７の上面より突出させてある。このリード端子１９，３０は剛性を有する導体で例えばピン状をしている。この電流トランス８はトランス収納ケース１７と一緒にトランス収納凹部２１に収納されている。端子板４の上端よりリード端子３０の近傍に至るように連出片３１を連出してあり、連出片３１の先端部に接合孔３２を穿孔してある。そして一対のリード端子３０のうち一方のリード端子３０を接合孔３２に挿入して接続してある。接続板６の上端からもリード端子３０の近傍に至るように連出片３３を連出してあり、連出片３３の先端部に接合孔３４を穿孔してある。そして他方のリード端子３０を接合孔３４に接続してある。つまり、電流トランス８を組み込んだ後、端子板４や接続板６を上から組み込むことにより、リード端子３０は接合孔３２，３４に挿入され、リード端子３０と端子板４や接続板６が接続される。
【００１０】
表示ブロック１８は樹脂よりなる基台３５に導体をインサートし、表示灯となるＬＥＤチップ３６や保護抵抗となる抵抗チップ３７を搭載し、ＬＥＤチップ３６や抵抗チップ３７を導体に接続して形成されている。ＬＥＤチップ３６は基台３５に上方突出するように設けた突出部３８の上端に搭載されている。この表示ブロック１８は電流トランス８の上からボディ２の上端に搭載して取り付けられる。表示ブロック１８を取り付けるとき、表示ブロック１８の一対の導体の一対の端子２０の接合孔３９と一対の二次側のリード端子１９とが対応し、リード端子１９が接合孔３９に挿入されて接続される。
【００１１】
カバー３は上面に矩形状の開口４０を設けて形成され、このカバー３をボディ２の上面開口に取り付けてある。カバー３をボディ２に取り付けた状態でカバー３側からボディ２に至るように組み立て枠４１が被嵌され、組み立て枠４１にてカバー３とボディ２が一体化される。カバー３内には接点切り換え用ハンドル１３がシーソー運動自在に内装されており、接点切り換え用ハンドル１３の上面がカバー３の開口４０から露出している。接点切り換え用ハンドル１３内には筒部４２を一体に設けてあり、コイルスプリング１４の一端部を接点切り換え用ハンドル１３の筒部４２内に挿入してあり、コイルスプリング１４の他端部を開閉体７内に挿入してある。しかして接点切り換え用ハンドル１３をシーソー運動させると、コイルスプリング１４を介して開閉体７が反転揺動し、可動接点２８と固定接点２９とが接触したり離間したりする。表示ブロック１８の突出部３８は接点切り換え用ハンドル１３内に挿入され、接点切り換え用ハンドル１３の上面に設けた窓部４３からＬＥＤチップ３６が露出している。この窓部４３にはランプカバー４４を嵌着により着脱自在に取り付けてある。接点切り換え用ハンドル１３の上部に透明のカードカバー４５を着脱自在に被嵌してあり、接点切り換え用ハンドル１３とカードカバー４５との間にネームカードのようなカードを挟んで保持できるようになっている。
【００１２】
上記のように表示灯付スイッチが形成され、接点切り換え用ハンドル１３をシーソー運動させることにより開閉体７を反転揺動させて可動接点２８と固定接点２９との接点交換ができるが、可動接点２８と固定接点１７とを接触させて交流回路を導通させたとき、電流トランス８の二次側巻線に生じる起電力がＬＥＤチップ３６に通電され、ＬＥＤチップ３６の発光にてオン状態になっていることが表示される。
【００１３】
また上記のように構成せる表示灯付スイッチの外形は日本配線器具工業会で規格化されている取り付け枠に対して着脱自在に取着できる埋め込み型の配線器具の１個分に相当する寸法に設定されおり、合成樹脂製の取り付け枠への取り付け部となる取り付け爪４６と、金属製の取り付け枠への取り付け部となる取り付け孔４７が組み立て枠４１に形成されている。
【００１４】
次に本発明の表示灯付スイッチの要部について説明する。
【００１５】
第１の要部を図１、図２により説明する。表示ブロック１８は端部の適所に取り付け足４８を有し、表示ブロック１８をボディ２の上に載置したとき取り付け足４８がボディ２の位置決め凹部４９に嵌合される。カバー３を被嵌するときカバー３の位置決め凹部５０が取り付け足４８に嵌合され、カバー３とボディ２とで取り付け足４８が挟持されて表示ブロック１８が取り付けられる。このようにして表示ブロック１８が接点切り換え用ハンドル１３と関係なしにカバー３とボディ２とで挟持して所定の位置に取り付けられる。また表示ブロック１８をボディ２の上面に搭載したとき電流トランス８を収納したトランス収納ケース１７から突設した二次側のリード端子１９が端子２０の接合孔３９に挿入され、リード端子１９と端子２０とが半田付けで接続される。このとき接続部を簡単に位置決めして半田付けできて自動組み立てが可能になる。
【００１６】
第２の要部を図６、図７により説明する。表示ブロック１８ではＬＥＤチップ３６と抵抗チップ３７をレーザによる半田付けで接続してある。ここで符号ａはＬＥＤチップ３６の導体への半田付け部、符号ｂは抵抗チップ３６の導体への半田付け部である。端子板４や接続板６を組み込んだとき、一次側のリード端子３０が端子板４や接続板６の接合孔３２，３４が挿入され、レーザによる半田付けにて端子板４や接続板６とリード端子３０が接続される。符号ｃはリード端子３０の半田付け部である。また表示ブロック１８を組み込んだとき二次側のリード端子１９が端子２０の接合孔３９に挿入され、レーザによる半田付けにて端子２０とリード端子１９を接続できる。符号ｄはリード端子１９の半田付け部である。このように接続部を所定位置に位置決めしてレーザによる半田付けにて自動組み立てできる。従来はジーゲル線等を接続するため位置決めできなく手作業で半田付けしており、作業が繁雑になると共に時間がかかっていたが、本発明の場合自動でできて作業が簡単になると共にレーザによる半田付けのために時間が短縮される。
【００１７】
第３の要部を図８、図９により説明する。表示ブロック１８には２個のＬＥＤチップ３６と１つの抵抗チップ３７を搭載してある。図９に示すように２個のＬＥＤチップ３６は並列に接続してあり、ＬＥＤチップ３６と抵抗チップ３７と直列に接続してある。図９で符号ｅは電流トランス８の一次側、ｆは電流トランス８の二次側、ＳＷは開閉体７の揺動で切り換えられるスイッチ部である。ところで、従来の電流トランス８では一次側が４Ａで二次側が３０ｍＡ程度となっており、二次側の電流値が高くてＬＥＤチップ３６の故障の原因となっている。本発明では保護抵抗としての抵抗チップ３７を挿入することで二次側の出力を２５ｍＡ以下に規制できてＬＥＤチップ３６の故障を防ぎ、寿命を延ばすことができる。
【００１８】
第４の要部を図１０、図１１により説明する。電流トランス８を収納するトランス収納ケース１７はケース本体１７ａと蓋体１７ｂとで形成されており、ケース本体１７ａの下部と蓋体１７ｂの下部をヒンジ部５１にて接続してあり、蓋体１７ｂをケース本体１７ａに対して開閉自在にしてある。そしてケース本体１７ｂに電流トランス８を入れ、ヒンジ部５１で回動して蓋体１７ｂを被着することでトランス収納ケース１７内に電流トランス８を収納してある。このようにして電流トランス８をトランス収納ケース１７内に収納してワンタッチで組み立てることができる。蓋体１７ｂを被着したとき蓋体１７ｂの位置決めピン５２がケース本体１７ａの位置決め孔５３に嵌合されて位置決め結合される。また蓋体１７ｂに設けた嵌合片５４がケース本体１７ａの嵌合凹所５５に嵌合して結合される。
【００１９】
第５の要部を図１２により説明する。接点切り換え用ハンドル１３にはＬＥＤチップ３６を露出させるように窓部４３を設けてあり、この窓部４３にＬＥＤチップ３６を保護するためランプカバー４４を上から嵌着して取り付けてある。ランプカバー４４から嵌着脚５６を垂下してあり、嵌着脚５６を嵌着して取り付けることができる。従来の表示灯の場合ＬＥＤチップをカバーで保護した構造のために窓部だけでよいが、本発明の場合ＬＥＤチップ３６が露出する構造のためにランプカバー４４でＬＥＤチップ３６を保護している。ランプカバー４４を取り付けるものでもランプカバー４４を上から嵌着できるので自動組み立てできる。このランプカバー４４は赤色等の色に着色してあってもよい。
【００２０】
【発明の効果】
本発明は叙述のように表示灯を有する表示ブロックをハウジングのボディとカバーとの間に配置し、表示ブロックの端部に取り付け足を有し、表示ブロックをボディの上に載置したとき取り付け足をボディの位置決め凹部に嵌合すると共にカバーを被嵌するときカバーの位置決め凹部を取り付け足に嵌合し、ボディとカバーとで取り付け足を挟持して表示ブロックを取り付け、電流トランスの二次側のリード端子をトランス収納ケースから突設すると共にリード端子を表示ブロックの端子に接続し、表示ブロックの表示灯を接点切り換え用ハンドル内に位置させているので、リード端子と表示ブロックの端子との接続部を簡単に位置決めして接続できて自動組み立てができるものであり、また表示ブロックが接点切り換えハンドルと関係なしにボディとカバーとの間に取り付け足を挟持して固定されて接点切り換え用ハンドルの動きに影響されることがなく、断線のおそれがないものである。
【００２１】
また本発明の請求項２記載の発明にあっては、ハウジングのボディ内に端子板や接続板や電流トランス等を収納し、電流トランスの一次側のリード端子をトランス収納ケースから突設すると共にこのリード端子と端子板や接続板とをレーザによる半田付けにて接続し、電流トランスの二次側のリード端子をトランス収納ケースから突設すると共にこのリード端子を表示ブロックの端子にレーザによる半田付けにて接続し、表示灯としてのＬＥＤチップを表示ブロックの基台に搭載すると共にＬＥＤチップを基台にレーザによる半田付けで接続しているので、接続部を位置決めして半田付けで接合できて組み立ての自動化が図れると共にレーザによる半田付けにて半田付けの時間を短縮できるものである。
【００２２】
本発明の請求項３記載の発明にあっては、表示灯としてのＬＥＤチップと接続する回路に保護抵抗として抵抗チップを挿入しているので、ＬＥＤチップに通電する出力電流値を下げることができてＬＥＤチップの故障を防ぐと共に寿命を延ばすことができるものである。
【００２３】
本発明の請求項４記載の発明にあっては、トランス収納ケースをケース本体と蓋体とで構成し、ケース本体と蓋体とをヒンジにて連結しているので、電流トランスをトランス収納ケースにワンタッチで収納して組み立てることができて組み立ての自動化が図れるものであり、また電流トランスの二次側のリード端子をトランス収納ケースから突設すると共に表示ブロックの端子と上記リード端子とを直接接続しているので、リード端子と表示ブロックの端子との位置決めが簡単にできて自動組み立てで接続できるものである。
【００２４】
本発明の請求項５記載の発明にあっては、表示灯としてＬＥＤチップを用い、接点切り換え用ハンドルのＬＥＤチップと対応する位置に窓部を設けると共にこの窓部にランプカバーを嵌着にて取り付けているので、ランプカバーの取り付けにてＬＥＤチップを保護できるものであり、しかもランプカバーを上から嵌着するだけで取り付けることができて自動組み立てができるものである。
【図面の簡単な説明】
【図１】本発明の一実施例のカバーと表示ブロックとボディを分解した斜視図である。
【図２】同上の組み立て状態の要部の断面図である。
【図３】同上の全体を示し、（ａ）は正面から見た断面図、（ｂ）は（ａ）と異なる位置で破断した断面図である。
【図４】（ａ）は同上のカバーを外した状態の平面図、（ｂ）は（ａ）の表示ブロックを外した状態の平面図である。
【図５】同上の全体の分解斜視図である。
【図６】同上の表示ブロックを外した状態の分解平面図である。
【図７】図６の表示ブロックを取り付けた状態の平面図である。
【図８】同上の表示ブロックの平面図である。
【図９】同上の全体の回路図である。
【図１０】同上の電流トランスとトランス収納ケースの分解斜視図である。
【図１１】同上の電流トランスをトランス収納ケースに収納した状態の斜視図である。
【図１２】同上の接点切り換え用ハンドルとランプカバーを示す分解斜視図である。
【図１３】従来例の正面から見た断面図である。
【図１４】従来例の要部の分解斜視図である。
【符号の説明】
１  ハウジング
２  ボディ
３  カバー
４  端子板
５  端子板
６  接続板
７  開閉体
８  電流トランス
１１  錠ばね
１２  解除釦
１３  接点切り換え用ハンドル
１７  トランス収納ケース
１７ａ  ケース本体
１７ｂ  蓋体
１８  表示ブロック
１９  リード端子
２０  端子
２１  トランス収納凹部
２２  端子板収納凹部
２３  端子板収納凹部
２４  接点部収納凹部
３０  リード端子
３５  基台
３６  ＬＥＤチップ
３７  抵抗チップ
４４  ランプカバー
５１  ヒンジ部
【図１】
0003689136.tif 000002
【図２】
0003689136.tif 000003
【図３】
0003689136.tif 000004
【図４】
0003689136.tif 000005
【図５】
0003689136.tif 000006
【図６】
0003689136.tif 000007
【図７】
0003689136.tif 000008
【図８】
0003689136.tif 000009
【図９】
0003689136.tif 000010
【図１０】
0003689136.tif 000011
【図１１】
0003689136.tif 000012
【図１２】
0003689136.tif 000013
【図１３】
0003689136.tif 000014
【図１４】
0003689136.tif 000015